(57)【要約】【課題】音響効果を向上させるとともに、内部に各種の物品を収納することが可能な吸音収納ボックスを提供することをその課題とする。【解決手段】外箱Ｂと引出しＡとからなる収納ボックスであって、該引出しＡは引出し前板を構成する平断面略弓形の吸音部１と、収納箱２とからなり、上記吸音部１は膨出するように配設された吸音パネル１１と背板１２とから形成されるとともに、吸音部内部には吸音材３が充填され、背板には多数の透孔１２１が穿たれている。【選択図】図１
2005257763.tif 000002
【特許請求の範囲】
【請求項１】
外箱と引出しとからなる収納ボックスであって、該引出しは引出し前板を構成する平断面略弓形の吸音部と、収納箱とからなり、上記吸音部は膨出するように配設された吸音パネルと背板とから形成されるとともに、吸音部内部には吸音材が充填され、背板には多数の透孔が穿たれた吸音収納ボックス。
【請求項２】
上記吸音パネルは隙間を設けて膨出するように並設された音拡散板と上記隙間を裏側から目隠しする裏板とからなる請求項１に記載の吸音収納ボックス。
【請求項３】
上記吸音材が軟質繊維系吸音材である請求項１に記載の吸音収納ボックス。
【請求項４】
開き戸を構成する吸音部と箱型収納体とからなる収納ボックスであって、該吸音部は平断面略弓形とされ、膨出するように配設された吸音パネルと背板とから形成されるとともに、上記吸音部内部には吸音材が充填され、背板には多数の透孔が穿たれた吸音収納ボックス。
【請求項５】
上記吸音パネルは隙間を設けて膨出するように並設された音拡散板と上記隙間を裏側から目隠しする裏板とからなる請求項４に記載の吸音収納ボックス。
【請求項６】
上記箱型収納体の側面吸音部が、隙間を設けて並設された音拡散板と上記隙間を裏側から目隠しする裏板とから形成された側面パネルと背板とからなるとともに、上記側面パネルと背板との間にインシュレーションボードが介装された請求項４に記載の吸音収納ボックス。
【請求項７】
上記吸音部が、前面が膨出するように形成された可動部材と固定部材とから構成され、可動部材を前後に移動することによって音の進入する隙間の深さを調節可能とするとともに、上記可動部材中に吸音材が充填された請求項４に記載の吸音収納ボックス。
【発明の詳細な説明】
【技術分野】
【０００１】
本発明は、音の拡散機能と吸収機能とを有する収納ボックスに関する。さらに詳しくは、室内に配置され、音響効果を高めるとともに、収納機能を有する吸音収納ボックスに関する。
【背景技術】
【０００２】
従来、室内空間の間仕切り、イベント空間の間仕切り等に用いられるパネル部材の表面に、音の適当な反射拡散と吸音とを可能とする材料を被着させて、音響性能を向上させる技術が知られている。
【特許文献１】特開平８−２５４０３４号公報（第１−３頁、第１、２図）
【発明の開示】
【発明が解決しようとする課題】
【０００３】
本発明は、住宅の居室で一般的に用いられる収納ボックスに音の拡散機能と吸収機能とを持たせて音響効果を向上させるとともに、内部に各種の物品を収納できる吸音収納ボックスを提供することをその課題とする。
【課題を解決するための手段】
【０００４】
上記課題を解決するため、本願第一発明においてはつぎのような技術的手段を講じている。すなわち、本願第一発明によれば、外箱と引出しとからなる収納ボックスであって、該引出しは引出し前板を構成する平断面略弓形の吸音部と、収納箱とからなり、上記吸音部は膨出するように配設された吸音パネルと背板とから形成されるとともに、吸音部内部には吸音材が充填され、背板には多数の透孔が穿たれた吸音収納ボックスが提供される。
【０００５】
上記吸音パネルは隙間を設けて膨出するように並設された音拡散板と上記隙間を裏側から目隠しする裏板とから形成されることが好ましい。また、上記音拡散板と裏板とを、木製とすることが好ましい。
【０００６】
上記吸音材が軟質繊維系吸音材であることが好ましい。軟質繊維系吸音材としては、有機質系、無機質系のいずれにも限定されるものではないが、火災に対する安全面から無機質軟質繊維系材料が好ましく使用され、グラスウール、ロックウール等がとくに好ましく使用される。
【０００７】
つぎに本願第二発明によれば、開き戸を構成する吸音部と箱型収納体とからなる収納ボックスであって、該吸音部は平断面略弓形とされ、膨出するように配設された吸音パネルと背板とから形成されるとともに、上記吸音部内部には吸音材が充填され、背板には多数の透孔が穿たれた吸音収納ボックスが提供される。
【０００８】
上記吸音パネルは隙間を設けて膨出するように並設された音拡散板と上記隙間を裏側から目隠しする裏板とから形成されることが好ましい。また、上記音拡散板と裏板とを、木製とすることが好ましい。
【０００９】
上記箱型収納体の側面吸音部が、隙間を設けて並設された音拡散板と上記隙間を裏側から目隠しする裏板とから形成された側面パネルと背板とからなるとともに、上記側面パネルと背板との間にインシュレーションボードを介装することが好ましい。
【００１０】
また、別の実施形態として、上記吸音部が前面が膨出するように形成された可動部材と固定部材とから構成され、可動部材を前後に移動することによって音の進入する隙間の深さを調節可能とするとともに、上記可動部材中に吸音材が充填されることが好ましい。
【発明の効果】
【００１１】
請求項１に記載の本願第一発明は上記のとおりであり、引出し前板を構成する吸音部は膨出するように配設された吸音パネルと背板とから形成されるとともに、吸音部内部には吸音材が充填されているため、引出し前板が音を拡散させるとともに、吸音材が音を吸収するため、音響効果を向上させ、かつ、各種物品を収納する引出しタイプの収納箱を提供することができる。
【００１２】
上記吸音パネルは、隙間を設けて膨出するように並設された音拡散板と上記隙間を裏側から目隠しする裏板とから形成され、かつ、木製とされているため、柔らかみのあるデザインとなり、インテリア効果を発揮する収納ボックスとして使用できる。
【００１３】
上記吸音材を軟質繊維系吸音材とすることによって、音拡散板で拡散反射されずに、上記隙間から進入した音は吸音材で効果的に吸収され、音響効果を向上させることができる。
【００１４】
請求項４に記載の本願第二発明は上記のとおりであり、開き戸を構成する吸音部が、膨出するように配設された吸音パネルと背板とから形成されるとともに、吸音部内部には吸音材が充填されているため、開き戸が音を拡散させるとともに、吸音材が音を吸収するため、音響効果を向上させ、かつ、各種物品を収納する開き戸タイプの収納箱を提供することができる。
【００１５】
上記吸音パネルは、隙間を設けて膨出するように並設された音拡散板と上記隙間を裏側から目隠しする裏板とから形成され、かつ、木製とされているため、柔らかみのあるデザインとなり、インテリア効果を発揮する収納ボックスとして使用できる。
【００１６】
上記箱型収納体の側面吸音部が、隙間を設けて並設された音拡散板と上記隙間を裏側から目隠しする裏板とから形成された側面パネルと背板とからなるとともに、上記側面パネルと背板との間にインシュレーションボードが介装されているため、前面のみならず側面においても、音を拡散し、吸収するため、さらに音響効果を向上させることができる。
【００１７】
また、上記吸音部が、前面が膨出した可動部材と固定部材とから構成され、可動部材を前後に移動することによって音の進入する隙間の深さを調節することが可能であるとともに、可動部材中には吸音材が充填されているため、音の種類や音源の位置により、吸音部の吸音特性を変化させることができる。
【発明を実施するための最良の形態】
【００１８】
以下、本発明の実施形態について図面を参照して、詳細に説明する。図１は、本願第一発明にかかる吸音収納ボックスを示す斜視図である。図１からよくわかるように、上記吸音収納ボックスは引出しタイプとされ、化粧合板からなる外箱Ｂと引出しＡとからなるとともに、引出しＡは、引出し前板を構成する平断面略弓形の吸音部１と収納箱２とからなり、この吸音部１は、膨出するように配設され、化粧板を兼ねた吸音パネル１１と背板１２とから形成されている。
【００１９】
図２は、図１におけるＸ−Ｘ線に沿う平断面図である。図２から明らかなように、上記吸音パネル１１は、隙間１１２を設けて膨出するように並設された音拡散板１１１と、上記隙間１１２を裏側から目隠しするように設けられた裏板１１３からなっている。また、上記吸音パネル１１と背板１２の間に形成された空間には、吸音材３が充填され、背板１２には多数の透孔１２１が穿たれている。
【００２０】
引出しＡを上記構成とすることにより、発生音はまず吸音パネル１１の音拡散板１１１で拡散反射されるとともに、隙間１１２から進入した音は吸音材３で吸音される。さらに、吸音材３で吸音し切れなかった音は、背板１２に設けられた透孔１２１を経て引出しＡの収納箱２に至り、収納箱２でさらに吸音される。図３は、上記のように構成された６個の引出しタイプの吸音収納ボックスを室内に積み重ねて配置した状態を示す斜視図である。複数の吸音収納ボックスを上記図３に示すようにアレンジすることによって、音を拡散させて反響音の発生を防ぎ、吸音効果も発揮するため、音響効果を向上させるとともに、インテリア部材としての機能をも発揮できる。
【００２１】
つぎに、本願第二発明について説明する。図４（ａ）は、本願第二発明にかかる吸音収納ボックスを示す斜視図である。図４（ａ）からよくわかるように、上記吸音収納ボックスは開き戸タイプとされ、開き戸を構成する吸音部４は、箱型収納体Ｃの側面吸音部５にヒンジ（図示省略）によって回動自在に取り付けられている。上記吸音部４は平断面略弓形であり、膨出するように配設され、化粧板を兼ねた吸音パネル４１と背板４２とから形成されるとともに、背板４２には図４（ｂ）に示すように多数の透孔４２１が穿たれている。
【００２２】
図５は、図４（ａ）におけるＹ−Ｙ線に沿う吸音部４の平断面図である。図５から明らかなように、上記吸音パネル４１は、隙間４１２を設けて膨出するように並設された音拡散板４１１と、上記隙間４１２を裏側から目隠しするように設けられた裏板４１３とからなっている。また、上記吸音パネル４１と背板４２の間に形成された空間には、吸音材３が充填されている。背板４２には上記のように多数の透孔４２１が穿たれている。
【００２３】
図6は、図４（ａ）に示した側面吸音部５の平断面図である。図６からよくわかるように、側面吸音部５は、側面パネル５１とインシュレーションボード５２と背板５３とからなり、上記側面パネル５１は、隙間５１２を設けて並設された音拡散板５１１と上記隙間５１２を裏側から目隠しするように設けられた裏板５１３とから形成されている。また、背板５３には多数の透孔５３１が穿たれている。
【００２４】
図７（ａ）、（ｂ）、（ｃ）は、図４（ａ）に示した吸音部４とは別の形態の吸音部６を示す説明図であり、開き戸を構成する吸音部６を可動部材６１と固定部材６２とから形成し、音が進入する隙間６３の深さを調節可能とした形態を示す説明図である。上記各図からよくわかるように、可動部材６１は吸音材３が充填された平断面略弓形とされ、その前面には、化粧板を兼ねた音拡散板６１１が隙間６３を設けて膨出するように連設されるとともに、この隙間６３に固定部材６２が遊嵌合して可動部材６１の位置調整ができるように配設されている。図7（ａ）は、可動部材６１を押し込んで隙間を浅くし、音をできるだけ拡散するようにした状態を示し、図7（ｃ）は、可動部材６１を手前に引いて隙間を深くし、吸音容量を大きくして反響を防いだ状態を示している。図7（ｂ）は両者の中間の状態を示す。
【００２５】
上記のように構成することにより、音の種類や音源の位置により、吸音部６の吸音特性を変化させることができるとともに、複数個の吸音収納ボックスを積み上げて配置することが可能となる。例えば、図３に示した第一発明の場合と同様にアレンジすることにより、音響効果を向上させるとともに、インテリア部材としての機能も発揮することができる。
【図面の簡単な説明】
【００２６】
【図１】本願第一発明にかかる吸音収納ボックスを示す斜視図である。
【図２】図１におけるＸ−Ｘ線に沿う吸音部の平断面図である。
【図３】上記吸音収納ボックスを積み重ねて配置した状態を示す斜視図である。
【図４】（ａ）本願第二発明にかかる吸音収納ボックスを示す斜視図である。（ｂ）本願第二発明にかかる吸音部の裏面を示す斜視図である。
【図５】図４（ａ）におけるＹ−Ｙ線に沿う吸音部の平断面図である。
【図６】図４（ａ）に示した側面吸音部の平断面図である。
【図７】（ａ）可動部材を押し込んで隙間を浅くした状態を示す説明図である。（ｂ）可動部材を手前に引いて隙間の深さを中間程度にした状態を示す説明図である。（ｃ）可動部材をさらに手前に引いて隙間を深くした状態を示す説明図である。
【符号の説明】
【００２７】
Ａ          第一発明にかかる引出し
Ｂ          第一発明にかかる外箱
１          吸音部
１１        吸音パネル
１１１      音拡散板
１１２      隙間
１１３      裏板
１２        背板
１２１      透孔
２          収納箱
３          吸音材
Ｃ          第二発明にかかる箱型収納体
４          第二発明にかかる吸音部
４１        吸音パネル
４１１      音拡散板
４１２      隙間
４１３      裏板
４２        背板
４２１      透孔
５          第二発明にかかる側面吸音部
５１        側面パネル
５１１      音拡散板
５１２      隙間
５１３      裏板
５２        インシュレーションボード
５３        背板
５３１      透孔
６          第二発明の別の実施形態にかかる吸音部
６１        可動部材
６１１      音拡散板
６２        固定部材
６３        隙間
【図１】
2005257763.tif 000003
【図２】
2005257763.tif 000004
【図３】
2005257763.tif 000005
【図４】
2005257763.tif 000006
【図５】
2005257763.tif 000007
【図６】
2005257763.tif 000008
【図７】
2005257763.tif 000009